(57)【特許請求の範囲】
【請求項１】
床下収納庫の蓋を受止める蓋受段部と収納庫本体の上端フランジ部を係止する係止段部とを備えた受枠が床開口部の内側に嵌着され、この受枠を支持する補助根太が床開口部の四周の根太の内側に固定された床下収納庫の床開口部の構造であって、上記の補助根太は、受枠に取付けられた略Ｌ形のバネ板片によって下方から受枠に押付けられた状態で仮止めされたまま、根太の内側に止具で固定されていることを特徴とする、床下収納庫の床開口部の構造。
【請求項２】
略Ｌ形のバネ板片の縦板部の上端が逆Ｕ形のフック部に曲成され、受枠の係止段部の内側端に形成された立上がり縁に上記のフック部が係合されてバネ板片が取付けられていることを特徴とする請求項１に記載の構造。
【請求項３】
逆Ｕ形のフック部の先端から回り止め板部が横方向に延設され、この回り止め板部が受枠の係止段部の上に重ねられた状態でバネ板片が取付けられていることを特徴とする請求項２に記載の構造。
【請求項４】
略Ｌ形のバネ板片の縦板部と横板部の夾角が８０〜８７°であることを特徴とする請求項１ないし請求項３のいずれかに記載の構造。
【発明の詳細な説明】
【０００１】
【発明の属する技術分野】
本発明は、床下収納庫の床開口部の構造に関する。
【０００２】
【従来の技術】
図７に示すように、従来の床下収納庫の床開口部１０１には受枠１０２が嵌着されており、この受枠１０２を下方から支持する補助根太１０３が床開口部１０１の四周の根太１０４の内側に止具１０５で固定されている。そして、この受枠１０２に収納庫本体１０６の上端フランジ部１０６ａを係止させることによって収納庫本体１０６が床下空間に取付けられており、その上から床開口部１０１を閉塞する蓋１０７が受枠１０２に被せられるようになっている。
【０００３】
【発明が解決しようとする課題】
しかしながら、上記の構造では、予め受枠１０２の高さ寸法を残して補助根太１０３を水平に正確に位置決めし、止具１０５で補助根太１０３を根太１０４に固定することが容易でないという問題があった。そのため、補助根太１０３の取付位置が上下にずれたり、補助根太１０３が斜めに取付けられたりすると、補助根太１０３と受枠１０２との間に隙間が生じたり、受枠１０２の上端フランジ部１０２ａと床面１０８との間に隙間が生じたりするという不都合があった。
【０００４】
本発明は上記の問題に対処すべくなされたもので、その目的とするところは、補助根太を正確に位置決めして簡単に取付施工することができる床下収納庫の床開口部の構造を提供することにある。
【０００５】
【課題を解決するための手段】
前記目的を達成するため、請求項１に係る発明は、床下収納庫の蓋を受止める蓋受段部と収納庫本体の上端フランジ部を係止する係止段部とを備えた受枠が床開口部の内側に嵌着され、この受枠を支持する補助根太が床開口部の四周の根太の内側に固定された床下収納庫の床開口部の構造であって、上記の補助根太が、受枠に取付けられた略Ｌ形のバネ板片によって下方から受枠に押付けられた状態で仮止めされたまま、根太の内側に止具で固定されていることを特徴とするものである。
【０００６】
このような床開口部の構造では、補助根太が略Ｌ形のバネ板片によって下方から受枠に押付けられた状態で受枠に仮止めされているため、受枠をきっちりと床開口部に嵌着するだけで、補助根太の正確な取付位置が自動的に決まることになる。従って、そのままの状態で補助根太を床開口部の四周の根太に止具で固定することにより、簡単かつ正確に施工することができる。
【０００７】
また、請求項２に係る発明は、上記請求項１の構造において、略Ｌ形のバネ板片の縦板部の上端が逆Ｕ形のフック部に曲成され、受枠の係止段部の内側端に形成された立上がり縁に該フック部が係合されてバネ板片が取付けられていることを特徴とするものである。
【０００８】
このような構造にすると、逆Ｕ形のフック部を受枠の立上がり縁に係合させるだけで、簡単にバネ板片を受枠に取付けることができるため、施工性の更なる向上を図ることができる。
【０００９】
また、請求項３に係る発明は、上記請求項２の構造において、そのバネ板片の逆Ｕ形のフック部の先端から回り止め板部が横方向に延設され、この回り止め板部が受枠の係止段部の上に重ねられた状態でバネ板片が取付けられていることを特徴とするものである。
【００１０】
このような構造にすると、略Ｌ形のバネ板片に補助根太を保持させて仮止めしたとき、バネ板片が縦板部上端の逆Ｕ形フック部を支点として床開口部の内方へ回動しようとしても、回り止め板部によってバネ板片の回動が阻止されるため、補助根太の位置決めをより確実に行うことができる。
【００１１】
更に、請求項４に係る発明は、上記請求項１〜３のいずれかの構造において、略Ｌ形のバネ板片の縦板部と横板部の夾角が８０〜８７°であることを特徴とするものである。
【００１２】
このような構造にすると、バネ板片の横板部により補助根太が下方から適度な押圧力で押圧されるため、補助根太が受枠に密着して、補助根太と受枠が離れなくなり、補助根太の太さに多少のバラツキがあっても、確実に受枠に密着状態で仮止めして正確に位置決めすることができる。
【００１３】
【発明の実施の形態】
以下、図面を参照して本発明の具体的な実施形態を詳述する。
【００１４】
図１は本発明の一実施形態に係る床下収納庫の床開口部の斜視図、図２は同開口部の断面図、図３は同開口部の拡大部分断面図、図４はバネ板片の斜視図である。
【００１５】
この実施形態では、図１、図２に示すように方形の床開口部１が床面２に形成されており、床開口部１の四周は根太３で囲まれている。そして、この床開口部１の内側には受枠４が嵌着されている。
【００１６】
この受枠４は、アルミニウム等の金属の押出型材を方形に枠組みしたもので、図３に示すように、上端フランジ部４ａと、蓋５を受止める蓋受段部４ｂと、収納庫本体６の上端フランジ部６ａを係止する係止段部４ｃとを備えている。そして、この受枠４の蓋受段部４ｂにはパッキン材７を収容する凹溝部４ｄが形成されており、また、係止段部４ｃの内側端には立上がり縁４ｅが形成されている。
【００１７】
この受枠４の立上がり縁４ｅには、図４に示すような略Ｌ形のバネ板片８、即ち、金属製のバネ板を略Ｌ形に曲げ加工して縦板部８ａと横板部８ｂを形成したバネ板片８が取付けられている。このバネ板片８は、横板部８ｂにより補助根太９を下方から受枠４へ押付けた状態で仮止めするものであって、縦板部８ａの上端は逆Ｕ形に曲げ加工されてフック部８ｃが形成されており、図３に示すように、このフック部８ｃを前記受枠４の立上がり縁４ｅに係合させるだけで簡単にバネ板片８を受枠４に取付けることができるようになっている。また、横板部８ｂの先端は斜め下方へ「く」字形に曲げ加工されてガイド部８ｄが形成されており、このガイド部８ｄによって補助根太９をバネ板片８の内側へ容易に嵌込むことができるようになっている。尚、このバネ板片８は弾性のあるプラスチックで成形したものでもよい。
【００１８】
このバネ板片８の縦板部８ａと横板部８ｂの夾角θは８０〜８７°の範囲に設定することが望ましく、夾角θを上記範囲に設定すると、横板部８ｂにより補助根太９が下方から適度な押圧力で押圧されるため、補助根太９が受枠４に密着して、補助根太９と受枠４が離れなくなり、補助根太９の太さに多少のバラツキがあっても、確実に受枠４に密着状態で仮止めすることができる。
【００１９】
この補助根太９は受枠４を下方から支持するもので、床開口部１の四周の根太３の内側に４本配置されて止具１０ａで固定されており、各補助根太９の上面には受枠４の四辺の係止段部４ｃが止具１０ｂで固定されている。尚、補助根太９の長さは、受枠４の一辺の長さの略２／３程度あれば充分であり、図１に示すように、それぞれの補助根太９を二つのバネ板片８で仮止めすればよい。
【００２０】
以上のような床下収納庫の床開口部の構造にすると、補助根太９が略Ｌ形のバネ板片８の横板部８ｂにより下方から受枠４に押付けられて密着した状態で受枠４に仮止めされているため、受枠４をきっちりと床開口部１に嵌着して該受枠４の上端フランジ部４ａを床面２の開口縁に係止させるだけで、補助根太９の正確な取付位置（高さ位置）が自動的に決まることになる。従って、そのままの状態で補助根太９を床開口部の四周の根太３に止具１０ａで固定し、受枠４の係止段部４ｃを止具１０ｂで補助根太９に固定すれば、簡単且つ正確に床下収納庫の床開口部の施工が可能となる。そして、この受枠４の係止段部４ｃに収納庫本体６の上端フランジ部６ａを係止して収納庫本体６を床下に設置すると共に、蓋５を受枠４に被着して床開口部１を閉塞すると、床下収納庫が完成する。
【００２１】
ところで、略Ｌ形のバネ板片８を使用することなく、補助根太９を止具１０ｂで受枠４に固定する場合は、補助根太９の上下方向の取付位置を正確に位置決め出来ても、横方向の取付位置を正確に位置決めすることが難しいため、補助根太９と根太３との間に隙間が生じて補助根太９を根太３の内側面に止具１０ａで固定できなくなったり、補助根太９が外側へ位置ずれして床開口部１の内側へ嵌込むことができなくなったりして施工が困難となる。
【００２２】
これに対し、本発明のように補助根太９をバネ板片８で仮止めする場合は、補助根太９の上下方向の取付位置を正確に位置決めできることに加えて、補助根太９が横方向に移動可能であるため、受枠４を床開口部１に嵌着したときに補助根太９と根太３との間に多少の隙間が存在していても、止具１０ａを締め込むにつれて補助根太９が根太３に向かって移動し、最終的に補助根太９が根太３の内側面に密着して固定されるので、上記のような問題は全く生じない。
【００２３】
図５は本発明に用いるもう一つのバネ板片８０の斜視図、図６は同バネ板片８０を用いた本発明の他の実施形態に係る床開口部の拡大部分断面図である。
【００２４】
この略Ｌ形のバネ板片８０は、縦板部８ａ上端の逆Ｕ形フック部８ｃの先端（下端）から回り止め板部８ｅを横方向に延設したものである。その他の構成は前記バネ板片８と同様であるので、図５において同一部材に同一符号を付し、説明を省略する。
【００２５】
かかるバネ板片８０は、図６に示すように上端のフック部８ｃを受枠４の立上がり縁４ｅに係合させて、回り止め板部８ｅを受枠の係止段部４ｃの上に重ねた状態で受枠４に取付けられる。このようにバネ板片８０を受枠４に取付けると、該バネ板片８０の内側に補助根太９を嵌込んで仮止めしたとき、バネ板片８０が縦板部８ａ上端の逆Ｕ形フック部８ｃを支点として床開口部１の内方へ回動しようとしても、回り止め板部８ｅによってバネ板片８０の回動が阻止されるため、補助根太９の位置決めをより確実に行うことができる。
【００２６】
以上、二つの実施形態を挙げて本発明の床開口部の構造を説明したが、本発明はこれらの実施形態のみに限定されるものではなく、例えば、略Ｌ形のバネ板片の縦板部の上端を止具等で受枠に取付けたり、受枠の断面形状を変更するなど、種々の設計的変更を許容するものである。
【００２７】
【発明の効果】
本発明の床下収納庫の床開口部の構造は、補助根太を正確に位置決めして簡単に取付けることができるので、施工性が大幅に向上するといった顕著な効果を奏する。特に、バネ板片の縦板部上端のフック部を受枠の立上がり縁に係合する場合は、バネ板片をワンタッチで極く簡単に取付けられるため施工性が一層向上するようになり、更に、フック部の先端から回り止め板部を延設したバネ板片を用いる場合は、バネ板片の回動が防止されるので補助根太の位置決めをより確実に行えるようになり、また、バネ板片の縦板部と横板部の夾角を８０〜８７°に設定した場合は、補助根太の太さに多少のバラツキがあっても確実に位置決めできるといった効果が得られる。
【図面の簡単な説明】
【図１】本発明の一実施形態に係る床下収納庫の床開口部の斜視図である。
【図２】同開口部の断面図である。
【図３】同開口部の拡大部分断面図である。
【図４】バネ板片の斜視図である。
【図５】本発明に用いるもう一つのバネ板片の斜視図である。
【図６】同バネ板片を用いた本発明の他の実施形態に係る床開口部の拡大部分断面図である。
【図７】従来の床下収納庫の断面図である。
【符号の説明】
１  床開口部
２  床面
３  根太
４  受枠
４ａ  受枠の上端フランジ部
４ｂ  蓋受段部
４ｃ  係止段部
４ｅ  立上がり縁
５  蓋
６  収納庫本体
６ａ  収納庫本体の上端フランジ部
７  パッキン材
８，８０  略Ｌ形のバネ板片
８ａ  縦板部
８ｂ  横板部
８ｃ  フック部
８ｄ  ガイド部
８ｅ  回り止め板部
９  補助根太
１０ａ，１０ｂ  止具
θ  縦板部と横板部との夾角
【図１】
0004117591.tif 000002
【図２】
0004117591.tif 000003
【図３】
0004117591.tif 000004
【図４】
0004117591.tif 000005
【図５】
0004117591.tif 000006
【図６】
0004117591.tif 000007
【図７】
0004117591.tif 000008